Podtech/llm-jp-corpus-v4-ja_patent huggingface dataset:
【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
可撓性を有し、体内に挿入される長尺のシースと、
前記シースの基端側に設けられた操作部と、
前記シースに進退自在に通され、湾曲可能な湾曲部を有する針と、
前記シースに対して進退自在に設けられ、前記針の先端から所定長だけ基端側に固定された固定端を有する湾曲操作部材と、
前記湾曲操作部材の前記固定端よりも基端側を押さえ付ける押さえ部材と、を有することを特徴とする内視鏡用穿刺針。
【請求項２】
前記湾曲操作部材は、前記固定端から前記押さえ部材に押さえられる部分までの間に、前記湾曲操作部材の他の部分に比べて硬度が相対的に高い硬質部を有することを特徴とする請求項１に記載の内視鏡用穿刺針。
【請求項３】
前記硬質部は、前記湾曲操作部材に着脱自在に構成されていることを特徴とする請求項２に記載の内視鏡用穿刺針。
【請求項４】
前記針が前記操作部の内部まで延ばして設けられ、
前記針の先端と基端とを連通させる貫通孔が形成されていることを特徴とする請求項１に記載の内視鏡用穿刺針。
【請求項５】
前記貫通孔は、前記一方と前記他方の間の内部空間において前記体内において縫合を行うための縫合糸を挿通可能であることを特徴とする請求項４に記載の内視鏡用穿刺針。
【請求項６】
前記硬質部は、前記湾曲操作部材の軸線方向に長さを異ならせて複数設けられていることを特徴とする請求項３に記載の内視鏡用穿刺針。
【請求項７】
請求項１〜６のいずれか一項に記載の内視鏡用穿刺針と、
前記体内において縫合を行うための縫合糸と、
前記縫合糸を生体組織に係止するためのアンカーと、
を備える内視鏡用穿刺縫合システム。
【手続補正２】
【補正対象書類名】明細書
【補正対象項目名】発明の名称
【補正方法】変更
【補正の内容】
【発明の名称】内視鏡用穿刺針及び内視鏡用穿刺縫合システム
【手続補正３】
【補正対象書類名】明細書
【補正対象項目名】０００１
【補正方法】変更
【補正の内容】
【０００１】
本発明は、内視鏡を通して体内に挿入され、組織などに刺入される内視鏡用穿刺針及び組織などを縫合する内視鏡用穿刺縫合システムに関する。
【手続補正４】
【補正対象書類名】明細書
【補正対象項目名】０００２
【補正方法】変更
【補正の内容】
【０００２】
患者の体内に内視鏡を挿入して経内視鏡的な処置を行う場合には、内視鏡に内視鏡用穿刺針を通して、組織に薬剤を注入したり、組織の縫合や組織の採取をしたりすることがある。このような手技に使用される内視鏡用穿刺針には、湾曲自在な針を有し、針を湾曲させるための紐を針の先端に取り付けると共に、針の先端のわずかな領域を除いて筒に挿入したものがある（例えば、特許文献１参照）。筒は、容易に曲げることができるが、筒の直径は変化し難い素材から製造されている。針で組織を突き刺した状態で紐を引くと、針と筒が湾曲する。この内視鏡用穿刺針では、針先の向きを変えたいときに、組織外まで針を引き抜かなくても向きを変えられる。
【特許文献１】特開２００４−１８８１３４号公報
【手続補正５】
【補正対象書類名】図面
【補正対象項目名】図２
【補正方法】変更
【補正の内容】
【図２】
2007181539.tif 000001
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示部と、
遊技媒体を受け入れる受入手段と、
前記受入手段からの遊技媒体受入を検出し、予め定められた規定数を上限として遊技の賭数を設定する賭数設定手段と、
該賭数設定手段の設定した賭数に応じて前記表示部から視認できる視認範囲に有効位置を設定する有効位置設定手段と、
前記各周回体の周回を開始させるべく操作される始動操作手段と、
前記始動操作手段の有効な操作に基づき、前記賭数設定手段の設定した賭数に基づいた当選確率で所定絵柄役及び特定絵柄役等の役の抽選を行う抽選手段と、
前記各周回体毎に設けられ、該各周回体を周回させる駆動手段と、
前記各周回体の周回を個別に停止させるべく操作される複数の停止操作手段と、
前記停止操作手段の操作タイミングと前記視認範囲に停止させる停止絵柄との関係を定め得る停止情報群を予め複数記憶する停止情報群記憶手段と、
前記複数の停止情報群から役の抽選結果に基づいた停止情報群を選択する停止情報群選択手段と、
該停止情報群選択手段の選択した停止情報群を格納する停止情報群格納手段と、
前記始動操作手段の操作に基づいて前記各周回体の周回を開始させるように、且つ、前記停止操作手段の操作と前記停止情報群格納手段に格納された停止情報群に基づいて、対応する周回体の周回を停止させるように前記各駆動手段を駆動制御する駆動制御手段と、
前記役の抽選結果が所定絵柄役当選であって前記有効位置に所定絵柄が所定の組合せを形成して停止した場合に、遊技媒体を払い出す特典を付与する特典付与手段と、
前記役の抽選結果が特定絵柄役当選であって前記有効位置に特定絵柄が所定の組合せを形成して停止した場合、所定の終了条件が成立するまで遊技状態を通常遊技状態から遊技者に有利な特別遊技状態に移行させる特別遊技状態移行手段と
を備えた遊技機において、
遊技状態が前記特別遊技状態である場合、前記賭数設定手段が設定し得る賭数の上限を前記規定数より少ない第２規定数に変更することを決定する賭数上限決定手段と、
該賭数上限決定手段が賭数の上限を前記第２規定数と決定した場合、前記賭数設定手段が設定し得る賭数の上限を前記第２規定数に変更する賭数上限変更手段と、
前記賭数上限変更手段が賭数の上限を前記第２規定数に変更し、前記賭数設定手段が前記第２規定数を賭数として設定した場合、賭数が前記規定数の場合に前記有効位置設定手段が設定する有効位置と同じ位置に有効位置を設定する第２有効位置設定手段と
を備え、
前記特典付与手段を、前記有効位置に第１絵柄が所定の組合せを形成して停止した場合、少なくとも前記通常遊技状態下では前記特典を付与せず、前記賭数上限変更手段が賭数の上限を前記第２規定数に変更した場合に前記特典を付与する構成としたことを特徴とする遊技機。
【請求項２】
前記役の抽選結果が前記特定絵柄役当選であって、前記有効位置に特定絵柄が所定の組合せを形成しなかった場合、前記特定絵柄役当選を留保記憶する留保記憶手段と、
前記役の抽選結果が前記特定絵柄役当選であって、前記特定絵柄が前記有効位置に所定の組合せを形成することが不可能な場合、前記第１絵柄が前記有効位置に所定の組合せを形成するよう前記停止情報群格納手段に格納された停止情報群を変更する停止情報群変更手段を備えたことを特徴とする請求項１に記載の遊技機。
【請求項３】
前記有効位置で前記第１絵柄に所定の組合せを形成させ得るかの形成抽選を行う形成抽選手段を備え、該形成抽選手段は、前記賭数上限変更手段が賭数の上限を前記第２規定数に変更した場合、前記形成抽選の当選確率を、通常遊技状態下における前記形成抽選の当選確率より高確率とすることを特徴とする請求項１又は２に記載の遊技機。
【請求項４】
前記停止情報群選択手段は、前記賭数上限変更手段が賭数の上限を前記第２規定数に変更すると共に前記賭数設定手段が前記第２規定数を賭数として設定した場合、前記賭数設定手段が前記規定数を賭数として設定した場合と同じ停止情報群を選択することを特徴とする請求項１乃至３のいずれか１に記載の遊技機。
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
ＭＩＳ型変換素子を有する画素を含み、放射線から画像信号を取得するためのセンサ部と、前記ＭＩＳ型変換素子が感知可能な波長の光を前記ＭＩＳ型変換素子に照射する光源と、少なくとも前記光源を制御する制御回路と、を有する放射線撮像装置であって、
前記制御回路は、前記センサ部に放射線が照射される前に、前記ＭＩＳ型変換素子が飽和状態となるまで前記ＭＩＳ型変換素子に前記光を照射するよう前記光源を制御することを特徴とする放射線撮像装置。
【請求項２】
前記制御回路は、前記センサ部に放射線が照射される前に、前記ＭＩＳ型変換素子が飽和状態となるまで前記ＭＩＳ型変換素子に繰り返し前記光を照射するよう前記光源を制御することを特徴とする請求項１に記載の放射線撮像装置。
【請求項３】
前記制御回路は、前記ＭＩＳ型変換素子が飽和状態であることを判断して前記光源からの光の照射を終了するよう制御することを特徴とする請求項１又は２に記載の放射線撮像装置。
【請求項４】
前記制御回路は、前記光が照射された前記センサ部からの信号に基づいて前記ＭＩＳ型変換素子が飽和状態であることを判断して前記光源からの光の照射を終了するよう制御することを特徴とする請求項３に記載の放射線撮像装置。
【請求項５】
前記制御回路は、前記センサ部に前記光が照射された時間に基づいて前記ＭＩＳ型変換素子が飽和状態であることを判断して前記光源からの前記光の照射を終了するよう制御することを特徴とする請求項４に記載の放射線撮像装置。
【請求項６】
前記制御回路は、前記ＭＩＳ型変換素子に電圧を供給していない休止状態から前記ＭＩＳ型変換素子に電圧を供給する撮影状態になった後、前記ＭＩＳ型変換素子が飽和状態となるまで前記ＭＩＳ型変換素子に前記光を照射するよう前記光源を制御することを特徴とする請求項１乃至５のいずれか１項に記載の放射線撮像装置。
【請求項７】
前記センサ部を駆動する駆動回路と、前記検出手段からの前記画像信号を読み出すための信号処理回路と、を更に含むことを特徴とする請求項１乃至６のいずれか１項に記載の放射線撮像装置。
【請求項８】
前記センサ部は、少なくとも前記ＭＩＳ型変換素子とトランジスタを含む前記画素が２次元に配列されており、前記ＭＩＳ型変換素子は、アモルファスシリコンの光電変換層を含むことを特徴とする請求項１乃至７のいずれか１項に記載の放射線撮像装置。
【請求項９】
前記ＭＩＳ型変換素子の前記センサ部に放射線が入射する側に配置され、前記放射線を前記光に変換する蛍光体を更に有することを特徴とする請求項１乃至８のいずれか１項に記載の放射線撮像装置。
【請求項１０】
前記ＭＩＳ型変換素子に基準電圧を供給するための電源と、前記ＭＩＳ型変換素子にリフレッシュ用の電圧を供給するための電源と、を更に有することを特徴とする請求項１乃至９のいずれか１項に記載の放射線撮像装置。
【請求項１１】
前記画素は、前記ＭＩＳ型変換素子にリフレッシュ用の電圧を供給するための電源と前記ＭＩＳ型変換素子との間に接続されたトランジスタを有することを特徴とする請求項１０に記載の放射線撮像装置。
【請求項１２】
放射線撮像装置の制御方法であって、ＭＩＳ型変換素子を有する画素を含むセンサ部に、前記ＭＩＳ型変換素子が飽和状態となるまで光源から前記ＭＩＳ型変換素子が感知可能な波長の光を照射する工程と、前記工程の後に、前記センサ部に放射線が照射され画像信号が取得される工程と、を有する制御方法。
【請求項１３】
ＭＩＳ型変換素子を有する画素を含むセンサ部に前記ＭＩＳ型変換素子が飽和状態となるまで光源から前記ＭＩＳ型変換素子が感知可能な波長の光を照射させた後、前記センサ部に照射された放射線に基づく画像信号を取得することを放射線撮像装置に実行させるプログラムを記録したコンピュータが読み取り可能な記録媒体。
【手続補正２】
【補正対象書類名】明細書
【補正対象項目名】０００８
【補正方法】変更
【補正の内容】
【０００８】
本発明に係る放射線撮像装置は、ＭＩＳ型変換素子を有する画素を含み、放射線から画像信号を取得するためのセンサ部と、前記ＭＩＳ型変換素子が感知可能な波長の光を前記ＭＩＳ型変換素子に照射する光源と、少なくとも前記光源を制御する制御回路と、を含み、前記制御回路は、前記センサ部に放射線が照射される前に、前記ＭＩＳ型変換素子が飽和状態となるまで前記ＭＩＳ型変換素子に前記光を照射するよう前記光源を制御する。
【手続補正３】
【補正対象書類名】明細書
【補正対象項目名】０００９
【補正方法】変更
【補正の内容】
【０００９】
本発明に係る放射線撮像装置の制御方法は、ＭＩＳ型変換素子を有する画素を含むセンサ部に、前記ＭＩＳ型変換素子が飽和状態となるまで光源から前記ＭＩＳ型変換素子が感知可能な波長の光を照射する工程と、前記工程の後に、前記センサ部に放射線が照射され画像信号が取得される工程と、を有する。
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
アドホックネットワーク通信を行う通信装置であって、
通信相手機器の情報を取得する取得手段と、
前記装置における送信電力又は受信電力を制御する電力制御手段と、
前記取得手段で取得した情報に基づいて、前記電力制御手段による電力制御を実施させるか否かを選択的に制御する制御手段と、
を有することを特徴とする通信装置。
【請求項２】
前記通信相手機器の情報は、当該通信相手機器の機器種別を示す情報であることを特徴とする請求項１に記載の通信装置。
【請求項３】
前記通信相手機器の情報は、当該通信相手機器が備える機能に関する情報であることを特徴とする請求項１に記載の通信装置。
【請求項４】
前記通信相手機器の情報は、当該通信相手機器の電源種別を示す情報であることを特徴とする請求項１に記載の通信装置。
【請求項５】
前記通信相手機器の情報は、当該通信相手機器のバッテリ残量を示す情報であることを特徴とする請求項１に記載の通信装置。
【請求項６】
前記通信相手機器の情報は、当該通信相手機器の動作可能時間を示す情報であることを特徴とする請求項１に記載の通信装置。
【請求項７】
前記制御手段は、前記通信相手機器が画像出力装置で、自装置が画像入力装置である場合に、前記電力制御手段による電力制御を実施するように制御することを特徴とする請求項２又は３に記載の通信装置。
【請求項８】
前記制御手段は、前記通信相手機器がスレーブで自装置がマスタである場合に、前記電力制御手段による電力制御を実施するように制御することを特徴とする請求項２又は３に記載の通信装置。
【請求項９】
更に、前記通信相手機器がスレーブである場合に、当該通信相手機器に対して電力制御を無効にするように指示する指示手段を有することを特徴とする請求項８に記載の通信装置。
【請求項１０】
前記制御手段は、前記通信相手機器が商用電源駆動で自装置がバッテリ駆動である場合に、前記電力制御手段による電力制御を実施するように制御することを特徴とする請求項４に記載の通信装置。
【請求項１１】
前記制御手段は、自装置のバッテリ残量が最も少ない場合に、前記電力制御手段による電力制御を実施するように制御することを特徴とする請求項５に記載の通信装置。
【請求項１２】
前記制御手段は、自装置の動作可能時間が最も少ない場合に、前記電力制御手段による電力制御を実施するように制御することを特徴とする請求項６に記載の通信装置。
【請求項１３】
前記取得手段は、ネットワークに含まれる無線端末機器からのブロードキャストデータを受信して通信相手機器の情報を取得することを特徴とする請求項１乃至１２のいずれか１項に記載の通信装置。
【請求項１４】
前記アドホックネットワークに参加している通信装置の数を判定する判定手段を更に有し、前記制御手段は、前記判定手段による判定に応じて、前記電力制御手段による電力制御を無効にすることを特徴とする請求項１乃至１３のいずれか１項に記載の通信装置。
【請求項１５】
アドホックネットワーク通信における通信装置の電力制御方法であって、
通信相手機器の情報を取得する取得工程と、
前記通信装置における送信電力又は受信電力を制御する電力制御工程と、
前記取得工程で取得した情報に基づいて、前記電力制御工程による電力制御を実施させるか否かを選択的に制御する制御工程と、
を有することを特徴とする電力制御方法。
【手続補正２】
【補正対象書類名】明細書
【補正対象項目名】０００１
【補正方法】変更
【補正の内容】
【０００１】
本発明は、送信電力又は受信電力を制御する制御機能を有する通信装置及び電力制御方法に関するものである。
【手続補正３】
【補正対象書類名】明細書
【補正対象項目名】０００６
【補正方法】変更
【補正の内容】
【０００６】
本発明の特徴は、アドホックネットワークにおいて上述した問題が生じる可能性の低い通信装置及びその電力制御方法を提供することにある。
【手続補正４】
【補正対象書類名】明細書
【補正対象項目名】０００７
【補正方法】変更
【補正の内容】
【０００７】
上記目的を達成するために本発明の一態様に係る通信装置は以下のような構成を備える。即ち、
アドホックネットワーク通信を行う通信装置であって、
通信相手機器の情報を取得する取得手段と、
前記装置における送信電力又は受信電力を制御する電力制御手段と、
前記取得手段で取得した情報に基づいて、前記電力制御手段による電力制御を実施させるか否かを選択的に制御する制御手段と、
を有することを特徴とする。
【手続補正５】
【補正対象書類名】明細書
【補正対象項目名】０００８
【補正方法】変更
【補正の内容】
【０００８】
上記目的を達成するために本発明の一態様に係る電力制御方法は以下のような工程を備える。即ち、
アドホックネットワーク通信における通信装置の電力制御方法であって、
通信相手機器の情報を取得する取得工程と、
前記通信装置における送信電力又は受信電力を制御する電力制御工程と、
前記取得工程で取得した情報に基づいて、前記電力制御工程による電力制御を実施させるか否かを選択的に制御する制御工程と、
を有することを特徴とする。
【手続補正６】
【補正対象書類名】明細書
【補正対象項目名】０００９
【補正方法】変更
【補正の内容】
【０００９】
本発明によれば、アドホックネットワークに含まれる送信電力又は受信電力の制御機能を備える各通信装置において、消費電力の増大や、通信ができなくなるといった事態が発生する可能性が低くなる。
【手続補正７】
【補正対象書類名】明細書
【補正対象項目名】００４２
【補正方法】変更
【補正の内容】
【００４２】
まず利用者が、バッテリ駆動型装置である無線通信装置８１及び、商用電源駆動型装置である無線通信装置８２に対して、動作モードをアドホックモードとする。そしてＳＳＩＤ及びセキュリティの設定を所定のものに設定する。これにより両者は、アドホックモードで通信可能状態となる。この後、無線通信装置８１及び８２は、各装置の制御部３０５の制御に基づいて各々の電源種別情報を報知する。具体的には、約２５０ミリ秒毎にブロードキャストデータとして電源の種別情報を報知する。
【手続補正書】
【提出日】平成21年8月17日(2009.8.17)
【手続補正１】
【補正対象書類名】明細書
【補正対象項目名】０００１
【補正方法】変更
【補正の内容】
【０００１】
遊技機に関する。
【手続補正２】
【補正対象書類名】明細書
【補正対象項目名】０００２
【補正方法】変更
【補正の内容】
【０００２】
従来、この種の遊技機として、遊技盤面に照明部材等の装飾部材を配設したものが知られている（例えば特許文献１参照。）。
【手続補正３】
【補正対象書類名】明細書
【補正対象項目名】０００４
【補正方法】変更
【補正の内容】
【０００４】
上述した遊技機には次のような課題があった。遊技盤面上の装飾部材を大きくしたい場合に遊技盤面上の遊技球の流下を調整することが困難になる怖れが有るという課題があった。
【手続補正４】
【補正対象書類名】明細書
【補正対象項目名】０００５
【補正方法】変更
【補正の内容】
【０００５】
本発明は上記課題にかんがみてなされたもので、遊技盤面上の装飾部材を好適に大きくできる遊技機の提供を目的とする。
【手続補正５】
【補正対象書類名】明細書
【補正対象項目名】０００６
【補正方法】変更
【補正の内容】
【０００６】
上記目的を解決するため、請求項１記載の遊技機は、略四角形状の遊技盤の前面に複数の遊技部材を配設すると共に、該複数の遊技部材の周囲を囲むように円弧状の遊技レールを配設して遊技領域を形成するものであって、前記遊技盤には、該遊技盤及び前記遊技レールとは別体に形成される装飾部材が取り付けられ、該装飾部材は、該装飾部材を遊技盤に取り付けるための取付板部と、装飾部とを備え、前記取付板部は、前記遊技レールのうち所定の範囲の遊技レールの円弧に沿うような形状及び大きさのレール対応部を備え、前記装飾部材は、前記レール対応部を前記遊技レールに沿わせかつ前記取付板部を前記遊技盤に固着することで前記遊技盤に配置され、遊技球の流下に干渉する干渉部材を配置するための干渉部材配置領域を備えたことを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】変更
【補正の内容】
【００２５】
以上説明したように本発明によれば、遊技球の流下面に大型の装飾部材を配設した遊技機を提供することができる。
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００６１
【補正方法】変更
【補正の内容】
【００６１】
１…パチンコ遊技機
１０…外枠
２０…本体枠
３０，１３０，３３０，４３０…遊技盤
３１，２３１，３３１，４３１…遊技領域
３２，１３２，３３２，４３２…発射経路
１３２ａ，３３２…床面
３４…表示装置
３３，１３３，２３３，３３３，４３３…遊技レール
３５，１３５，３３５…内側レール
３６，１３６，３３６…外側レール
４０…発射機構
４１…発射ハンドル
５０…流路板
６０…ガラス扉枠
６３…上皿
７０…下皿
１３８，３３８…釘（干渉部材）
１８０，３８０…照明部材（装飾部材の一部、装飾部）
１８１…花の絵柄
１８１ａ…花びら
１８１ｂ…茎
１８１ｃ…葉
１８２，３８２，４８２，５８２，６８２，７８２…装飾穴
１８３，３８３，４８３，５８３，６８３，７８３…装飾板
１９０，２９０，３９０，４９０，５９０，６９０，７９０…透明板（装飾部材の一部、取付部材）
１９０ａ，１８３ａ…目隠し壁
３９０ａ…繋ぎ目
３９１…接着剤
３９２…穴（干渉部材配置領域）
３９３…係止爪
４８１…装飾部
５８０…自動車模型
６８０…回転板
６８１…モーター
７８１…液晶表示装置
【手続補正２９】
【補正対象書類名】特許請求の範囲
【補正対象項目名】全文
【補正方法】変更
【補正の内容】
【特許請求の範囲】
【請求項１】
略四角形状の遊技盤の前面に複数の遊技部材を配設すると共に、該複数の遊技部材の周囲を囲むように円弧状の遊技レールを配設して遊技領域を形成する遊技機であって、
前記遊技盤には、該遊技盤及び前記遊技レールとは別体に形成される装飾部材が取り付けられ、
該装飾部材は、該装飾部材を遊技盤に取り付けるための取付板部と、装飾部とを備え、
前記取付板部は、前記遊技レールのうち所定の範囲の遊技レールの円弧に沿うような形状及び大きさのレール対応部を備え、
前記装飾部材は、
前記レール対応部を前記遊技レールに沿わせかつ前記取付板部を前記遊技盤に固着することで前記遊技盤に配置され、
遊技球の流下に干渉する干渉部材を配置するための干渉部材配置領域を備えたことを特徴とする遊技機。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
接着剤層がベースフィルム及びカバーフィルムで被覆された接着フィルムを、互いに逆向きに回転する上刃ユニットと下刃ユニットとからなり、上刃ユニットの上刃と下刃ユニットの下刃とが一部で重なって交互に噛み合うように配置されたカッタ機構に搬送して短冊状に切断する方法において、
前記接着フィルムを切断する前に、前記カバーフィルム側から前記接着フィルムを加熱することにより、少なくとも前記カバーフィルムの剥離力を増加させることを特徴とする接着フィルムの切断方法。
【請求項２】
前記接着フィルムに熱風を直接吹き付けることにより、前記接着フィルムを加熱することを特徴とする請求項１記載の接着フィルムの切断方法。
【請求項３】
前記刃に熱風を直接吹き付けることにより、前記接着フィルムを加熱することを特徴とする請求項１記載の接着フィルムの切断方法。
【請求項４】
前記接着剤層が熱硬化性樹脂を含み、前記接着フィルムの加熱温度を、前記接着剤層が硬化しない温度にすること特徴とする請求項１〜３の何れかに記載の接着フィルムの切断方法。
【請求項５】
前記接着フィルムが異方性導電フィルムであること特徴とする請求項１〜４何れかに記載の接着フィルムの切断方法。
【請求項６】
接着剤層がベースフィルム及びカバーフィルムで被覆された接着フィルムを、互いに逆向きに回転する上刃ユニットと下刃ユニットとからなり、上刃ユニットの上刃と下刃ユニットの下刃とが一部で重なって交互に噛み合うように配置されたカッタ機構に搬送することにより、短冊状に切断する接着フィルムの切断装置において、
前記カッタ機構の上流側には、前記カバーフィルム側から前記接着フィルムを加熱する加熱手段が設けられていることを特徴とする接着フィルムの切断装置。
【請求項７】
前記加熱手段は、ヒータで加熱された熱風を前記接着フィルム又は前記刃に吹き付ける送風器と、該送風器により加熱された前記接着フィルムの加熱温度を検出する温度センサと、該温度センサからの信号に基づいて前記ヒータの温度を調整する温度制御部とから構成されていることを特徴とする請求項６記載の接着フィルムの切断装置。
【手続補正２】
【補正対象書類名】明細書
【補正対象項目名】０００７
【補正方法】変更
【補正の内容】
【０００７】
本発明は、接着剤層がベースフィルム及びカバーフィルムで被覆された接着フィルムを、互いに逆向きに回転する上刃ユニットと下刃ユニットとからなり、上刃ユニットの上刃と下刃ユニットの下刃とが一部で重なって交互に噛み合うように配置されたカッタ機構に搬送して短冊状に切断する方法において、前記接着フィルムを切断する前に、前記カバーフィルム側から前記接着フィルムを加熱することにより、少なくとも前記カバーフィルムの剥離力を増加させることを特徴とする接着フィルムの切断方法を提供することにより、上記目的を達成したものである。
【手続補正３】
【補正対象書類名】明細書
【補正対象項目名】０００８
【補正方法】変更
【補正の内容】
【０００８】
また、本発明は、接着剤層がベースフィルム及びカバーフィルムで被覆された接着フィルムを、互いに逆向きに回転する上刃ユニットと下刃ユニットとからなり、上刃ユニットの上刃と下刃ユニットの下刃とが一部で重なって交互に噛み合うように配置されたカッタ機構に搬送することにより、短冊状に切断する接着フィルムの切断装置において、前記カッタ機構の上流側には、前記カバーフィルム側から前記接着フィルムを加熱する加熱手段が設けられていることを特徴とする接着フィルムの切断装置を提供することにより、上記目的を達成したものである。
【手続補正４】
【補正対象書類名】明細書
【補正対象項目名】００１１
【補正方法】変更
【補正の内容】
【００１１】
以下、本発明の接着フィルムの切断装置及び切断方法（以下、単に「切断装置」、「切断方法」ともいう）の最も好ましい一実施形態（第１実施形態）を詳細に説明する。
本実施形態の切断装置及び切断方法の対象とする接着フィルム２は、ベースフィルム２１に接着剤層２２が形成されその表面がカバーシート２３で被覆されたシートであれば限定されず、その接着剤層２２の形成に用いられる接着剤は、熱可塑性樹脂系接着剤又は熱硬化性接着剤の何れでもよい。また、接着フィルム２は、このような接着剤に導電粒子を分散させた異方性導電フィルムでもよい（図３参照）。
【手続補正５】
【補正対象書類名】明細書
【補正対象項目名】００３１
【補正方法】変更
【補正の内容】
【００３１】
また、本発明においては、剥離力の小さいカバーフィルム側から熱風を吹き付けることが好ましいが、加熱後のカバーフィルムの剥離力が加熱前のベースフィルムの剥離力を超えてしまうような場合等は、カバーフィルム及びベースフィルムの両側から熱風を吹き付けてもよい。接着フィルムの種類と上刃及び下刃との関係によっては、カバーフィルムを下面にして搬送した方が、切断面形状がシャープになる場合もあるため、このような場合には、カバーフィルムを下面にして接着フィルムを搬送することが好ましい。
【手続補正６】
【補正対象書類名】図面
【補正対象項目名】図３
【補正方法】変更
【補正の内容】
【図３】
2009154290.tif 000001
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
少なくとも２つの非金属機能層または層システムの間に配置された金属中間層を含む被膜を備えた超硬合金、サーメット、セラミックス、立方晶窒化硼素または高速鋼の基材を含み、
前記金属中間層が、Ｔｉ、Ｍｏ、Ａｌ、Ｃｒ、Ｖ、Ｙ、Ｎｂ、Ｗ、ＴａおよびＺｒの1種または複数種から選択される金属元素を少なくとも６０at％含み、
前記の少なくとも２つの非金属機能層または層システムが、窒化物、酸化物、硼化物、炭化物またはそれらの組み合わせの1種または複数種である被膜付き切削工具であって、
前記の少なくとも２つの非金属機能層または層システムの厚さが前記金属中間層の厚さの３から２００倍であり、金属中間層と交互積層した非金属機能層または層システムの数が少なくとも３であることを特徴とする被膜付き切削工具。
【請求項２】
前記非金属機能層または層システムの組成が、（Ａｌ，Ｔｉ）Ｎ、ＴｉＮ、（Ａｌ，Ｃｒ）Ｎ、ＣｒＮ、ＺｒＮ、Ｔｉ（Ｂ，Ｎ）、ＴｉＢ２、（Ｚｒ，Ａｌ）Ｎ、ＸがＳｉ、Ｔａ、Ｖ、Ｙ、Ｃｒ、ＮｂおよびＺｒのうちの1種または複数種である（Ｔｉ，Ｘ）Ｎ、Ａｌ、ＺｒおよびＣｒの1種または複数種の酸化物の1種または複数種であることを特徴とする、請求項１に記載の被膜付き切削工具。
【請求項３】
前記金属中間層が、金属（複数可）が、Ｔｉ、Ｍｏ、Ａｌ、Ｃｒ、Ｖ、Ｙ、Ｎｂ、Ｗ、ＴａおよびＺｒまたはこれらの混合物から選択される純粋な金属層であることを特徴とする、請求項１または２に記載の被膜付き切削工具。
【請求項４】
前記被膜の厚さが、基材の未被覆刃先半径ＥＲの少なくとも１０％であるが４５％未満であることを特徴とする、請求項１〜３のいずれかに記載の被膜付き切削工具。
【請求項５】
前記金属中間層の厚さが５ｎｍから５００ｎｍであることを特徴とする、請求項１〜４のいずれかに記載の被膜付き切削工具。
【請求項６】
全被膜厚さが０．５から１５μｍであることを特徴とする、請求項１〜５のいずれかに記載の被膜付き切削工具。
【請求項７】
被膜付き切削工具を製造する方法であって、超硬合金、サーメット、セラミックス、立方晶窒化硼素または高速鋼の基材を準備する工程および前記基材を以下の工程：
ａ）窒化物、酸化物、硼化物、炭化物またはこれらの組み合わせを含む、少なくとも１つの非金属機能層または層システムを堆積する工程、
ｂ）Ｔｉ、Ｍｏ、Ａｌ、Ｃｒ、Ｖ、Ｙ、Ｎｂ、Ｗ、ＴａおよびＺｒの1種または複数種から選択される金属元素を少なくとも６０at％含む、少なくとも１つの金属中間層を堆積する工程、
ｃ）前記金属中間層の上への、窒化物、酸化物、硼化物、炭化物またはこれらの組み合わせを含む、少なくとも１つの非金属機能層または層システムを堆積する工程
を含む被覆プロセスで被覆する方法を含み、
工程ｂ）およびｃ）が少なくとも１回繰り返され、
前記の非金属機能層または層システムの厚さが前記金属中間層の厚さの３から２００倍であり、金属中間層と交互積層した非金属機能層または層システムの数が少なくとも３であることを特徴とする、被膜付き切削工具を製造する方法。
【請求項８】
前記被膜がＰＶＤ技術により堆積する、請求項７に記載の方法。
【請求項９】
前記の堆積した被膜の厚さが、基材の未被覆刃先半径ＥＲの少なくとも１０％であるが４５％未満であることを特徴とする、請求項７または８に記載の方法。
【請求項１０】
前記の堆積した非金属層または層システムが、（Ａｌ，Ｔｉ）Ｎ、ＴｉＮ、（Ａｌ，Ｃｒ）Ｎ、ＣｒＮ、ＺｒＮ、Ｔｉ（Ｂ，Ｎ）、ＴｉＢ２、（Ｚｒ，Ａｌ）Ｎ、ＸがＳｉ、Ｔａ、Ｖ、Ｙ、Ｃｒ、ＮｂおよびＺｒのうちの1種または複数種である（Ｔｉ，Ｘ）Ｎ、Ａｌ、ＺｒおよびＣｒの1種または複数種の酸化物の1種または複数種であることを特徴とする、請求項７〜９のいずれかに記載の方法。
【請求項１１】
前記の堆積した金属中間層が、金属（複数可）が、Ｔｉ、Ｍｏ、Ａｌ、Ｃｒ、Ｖ、Ｙ、Ｎｂ、Ｗ、ＴａおよびＺｒまたはこれらの混合物から選択される純粋な金属層であることを特徴とする、請求項７〜１０のいずれかに記載の方法。
【請求項１２】
前記金属中間層の厚さが５ｎｍから５００ｎｍであることを特徴とする、請求項７〜１１のいずれかに記載の方法。
【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
フォイル・バッグ（２４）に食品（４２）を充填するデバイス（１）であって、
フォイル・バッグ（２４）を移送する移送デバイス（２３）と、
所定量の固形食品（４２）を測り分ける分注デバイス（２７）と、
前記フォイル・バッグ（２４）に測定量の固形食品（４２）を充填する充填デバイス（１７、１８）と、
前記フォイル・バッグ（２４）を閉鎖する閉鎖デバイス（４３）とを備え、
前記移送デバイスが、一つのフォイル・バッグ（２４）に対して少なくとも１つの固定容器（２３）を有し、前記フォイル・バッグ（２４）を側部から押してこれらをさらに離して開ける圧力アーム（３５、３６）が設けられ、
前記圧力アーム（３５、３６）が、フォイル・バッグ（２４）の形状に合うように形作られるとともに、フォイル・バッグの側部（３１、３２）のヒートシールの継ぎ目を入れるスロット（３７）を有しており、前記圧力アームは前記フォイル・バッグ（２４）が形作られるままにそれを支持することができることを特徴とするデバイス。
【請求項２】
いくつかのフォイル・バッグ（２４）を相互に隣接して充填することができることを特徴とする請求項１に記載のデバイス。
【請求項３】
容器（２３）がフォイルバッグ（２４）に圧力をかけてこれらが常に僅かに開くように、適切な寸法のフォイルバッグ（２４）が前記容器（２３）内に配置されうることを特徴とする請求項１又は２に記載のデバイス。
【請求項４】
引っ張りアーム（２１、２２）が設けられ、当該引っ張りアーム（２１、２２）によって前記フォイル・バッグ（２４）の充填開口部（３０）を引き開けることができることを特徴とする請求項１〜３のうちいずれか一項に記載のデバイス。
【請求項５】
フォイル・バッグ（２４）に食品（４２）を充填する方法であって、
前記フォイル・バッグ（２４）を移送するステップと、
所定量の固形食品（４２）を測り分けるステップと、
前記フォイル・バッグ（２４）に測定量の固形食品（４２）を充填するステップと、
前記フォイル・バッグ（２４）を閉鎖するステップとを含み、
前記フォイル・バッグ（２４）は、当該フォイル・バッグ（２４）の側部を一緒に僅かに押す容器に移送され、
前記圧力アーム（３５、３６）は、フォイル・バッグ（２４）を側方から押してこれらをさらに開けるようにフォイル・バッグの側部にもたらされ、前記圧力アームは、フォイル・バッグの側部（３１、３２）のヒートシールの継ぎ目を入れるスロット（３７）を有することを特徴とする方法。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
液吸収層を有する吸収単体が複数重ねられた吸収性物品において、
最下段に位置する最下部吸収単体の着衣側表面に、着衣に固定する位置決め固定手段が設けられ、前記最下部吸収単体の肌側表面に、少なくとも１つの上部吸収単体が剥離自在に接合されており、
縦方向に沿って曲げるときの曲げ剛性が、前記上部吸収単体よりも前記最下部吸収単体の方が高いことを特徴とする吸収性物品。
【請求項２】
前記上部吸収単体が複数設けられ、上部吸収単体がそれぞれ剥離可能に重ねられており、前記曲げ剛性は、最上部に位置する上部吸収単体よりも前記最下部吸収単体の方が高い請求項１記載の吸収性物品。
【請求項３】
複数の前記上部吸収単体は、着衣側に位置するものが肌側に位置するものよりも曲げ剛性が高い請求項２記載の吸収性物品。
【請求項４】
最下部吸収単体を構成する素材の目付けを上部吸収単体よりも大きくすることで、最下部吸収単体の曲げ剛性を高くしている請求項１ないし３のいずれかに記載の吸収性物品。
【請求項５】
最下部吸収単体の厚みを上部吸収単体より大きくすることで、最下部吸収単体の曲げ剛性を高くしている請求項１ないし３のいずれかに記載の吸収性物品。
【請求項６】
最下部吸収単体を構成する不織布を熱処理して厚みを大きくしている請求項５記載の吸収性物品。
【請求項７】
最下部吸収単体の表面層を凹凸賦形することで厚みを大きくしている請求項５または６記載の吸収性物品。
【請求項８】
最下部吸収単体と上部吸収単体とで、肌側表面の色彩が相違する請求項１ないし６のいずれかに記載の吸収性物品。
【請求項９】
最下部吸収単体と上部吸収単体とで、肌側表面に現れるエンボスパターンが相違する請求項１ないし８のいずれかに記載の吸収性物品。
【請求項１０】
少なくとも最下部吸収単体には、抗菌、消臭、香料の少なくとも１つの機能剤が含まれている請求項１ないし９のいずれかに記載の吸収性物品。
【請求項１１】
前記機能剤として茶葉抽出物が含まれる請求項１０記載の吸収性物品。
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
１００ｍｍ２中に１０ｍｍ２以上の空隙を有するネットと、不織布との２層構造を持つ、吸着担体。
【請求項２】
前記ネットの空隙形状は、四角形である、請求項１に記載の吸着担体
【請求項３】
前記２層構造において、前記ネットの構成材が前記不織布の長軸または短軸方向に対し角度９０±１０度の方向をなす、請求項１または２に記載の吸着担体。
【請求項４】
生理活性物質および／または細胞を吸着する、請求項１〜３のいずれか一項に記載の吸着担体。
【請求項５】
前記ネットは、単繊維からなる、請求項１〜４のいずれか一項に記載の吸着担体。
【請求項６】
前記ネットは、その構成材が互いに交差する部分が接合されてなるものである、請求項１〜５のいずれか一項に記載の吸着担体。
【請求項７】
嵩密度が０．０２ｇ／ｃｍ３以上である、請求項１〜６のいずれか一項に記載の吸着担体。
【請求項８】
請求項１〜７のいずれか一項に記載の吸着担体が円筒状容器に納められている、血液処理カラム。
【請求項９】
血液を循環して使用されるものである、請求項８に記載の血液処理カラム。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
嚥下可能カプセルから獲得された画像ストリームを表示するための方法であって、
前記嚥下可能カプセルからのオリジナル画像ストリームを受信し、
前記オリジナル画像ストリームから隣接する画像の組み合わせから中間画像を形成し、
中間画像と前記オリジナル画像ストリームからの画像とを含む第２の画像ストリームを生成し、
そして、
複数の連続するタイムスロットにわたって前記第２の画像ストリームからの画像を表示するステップとを含み、
各タイムスロットにおいて前記第２の画像ストリームからの連続する画像のセットが表示され、各画像は同時に表示され、各タイムスロットにおいて表示される前記連続する画像のセットが、前記第２の画像ストリームにおいて、直前の前記タイムスロットにおける前記連続する画像に対して、直接的に連続していることを特徴とする、方法。
【請求項２】
前記オリジナル画像ストリームが内腔の内部から得られる、請求項１に記載の方法。
【請求項３】
前記内腔が胃腸管である、請求項２に記載の方法。
【請求項４】
前記中間画像が前記オリジナル画像ストリームから画像を平均化することによって形成される、請求項１に記載の方法。
【請求項５】
前記中間画像が前記オリジナル画像ストリームから画像を補間することによって形成される、請求項１に記載の方法。
【請求項６】
各タイムスロットにおいて、前記連続する画像のセットが並んで表示されかつ水平に配置されている、請求項１に記載の方法。
【請求項７】
画像ストリームを表示するためのシステムであって、
嚥下可能カプセルからのオリジナル画像ストリームを受信するワークステーションを含み、
前記ワークステーションは、前記オリジナル画像ストリームから隣接する画像の組み合わせから中間画像を形成し、
中間画像と前記オリジナル画像ストリームからの画像とを含む第２の画像ストリームを生成し、
そして、
複数の連続するタイムスロットにわたって前記第２の画像ストリームからの画像を表示するようになっており、
各タイムスロットにおいて前記第２の画像ストリームからの連続する画像のセットが表示され、各画像は同時に表示され、各タイムスロットにおいて表示される前記連続する画像のセットが、前記第２の画像ストリームにおいて、直前の前記タイムスロットにおける前記連続する画像に対して、直接的に連続していることを特徴とする、システム。
【請求項８】
前記オリジナル画像ストリームが内腔の内部から得られる、請求項７に記載のシステム。
【請求項９】
前記内腔が胃腸管である、請求項８に記載のシステム。
【請求項１０】
前記中間画像が前記オリジナル画像ストリームから画像を平均化することによって形成される、請求項７に記載のシステム。
【請求項１１】
前記中間画像が前記オリジナル画像ストリームから画像を補間することによって形成される、請求項７に記載のシステム。
【請求項１２】
各タイムスロットにおいて、前記連続する画像のセットが並んで表示されかつ水平に配置されている、請求項７に記載のシステム。
【請求項１３】
前記胃腸管の画像を獲得する嚥下可能カプセルと前記画像を受信するために患者の身体の外部に位置する受信装置とを備えている請求項７に記載のシステム。
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
運動している物体（Ｏ）のフルオロスコピィ画像系列内の画像（Ｉｔ）における雑音の低減の方法であって、
運動しているピクセル（Ｎ、Ｐ）と固定しているピクセル（Ｆ）との間での前記画像のピクセルの区別のステップと、
前記固定しているピクセル（Ｆ）の時間フィルタ処理の演算による処理のステップと、
を備えており、
前記画像（Ｉｔ）の各々のピクセルについて、運動しているピクセルと固定しているピクセルとの間での前記区別は、当該ピクセルの近傍の一組のピクセルをカバーする前記画像の区域において、先行画像（Ｉｔ−１）に対する前記物体（Ｏ）の運動の有無を検出する運動の検出の結果の関数として実行される、方法。
【請求項２】
前記画像の任意の所与のピクセルについて、前記物体の運動の有無の前記検出は、当該所与のピクセルの近傍の前記一組のピクセルの中で、前記画像と前記先行画像との間で振幅閾値よりも絶対値が大きい振幅変化を呈するピクセル数を数えて、該数を運動検出閾値と比較することにより現実化され、
前記振幅閾値は、前記物体のコントラストの平均振幅Ａに対応し、
前記運動検出閾値は、前記近傍の一組のピクセルが前記物体を完全にカバーするときの平均振幅Ａ以上の振幅を有するピクセルの数に対応しており、
前記運動検出閾値は、Ｔ＝ｄＭ＋［Ｍ２＋ｄＭ］［１−Ｆ（ｚ）］により表わされ、ここで、Ｍ＊Ｍは前記組内のピクセル数であり、ｄＭは前記物体によりカバーされる集合内のピクセル数であり、Ｆは雑音分布関数であり、ｚはＡに含まれる標準偏差の数（ＣＮＲ／√２）を表わしている、請求項１に記載の方法。
【請求項３】
前記運動検出はまた、前記運動しているピクセル（Ｎ、Ｐ）の中で、前記物体が運動している区域に対応するピクセル（Ｎ）を、前記系列内の前記先行画像において物体が位置していた背景区域に対応するピクセル（Ｐ）と区別するように構成され、
前記画像の所与の運動しているピクセルは、前記画像と前記先行画像との間で前記振幅閾値よりも絶対値が大きい振幅変化を呈する該ピクセルの近傍のピクセルが前記振幅閾値の負値よりも小さい振幅変化を呈する場合には前記物体が運動している区域に対応する（Ｎ）と看做され、或いは前記振幅閾値の正値よりも大きい振幅変化を呈する場合には前記系列内の前記先行画像において物体が位置していた背景区域に対応する（Ｐ）と看做される、請求項２に記載の方法。
【請求項４】
前記処理の過程で、前記物体が運動している区域に対応する前記運動しているピクセル（Ｎ）については演算は実行されない、請求項３に記載の方法。
【請求項５】
前記処理は、前記物体が運動している区域に対応する前記運動しているピクセル（Ｎ）の空間フィルタ処理演算を含んでおり、
前記空間フィルタ処理は、バイラテラル・フィルタを用いることにより具現化される、請求項３に記載の方法。
【請求項６】
前記処理は、前記系列内の前記先行画像において物体が位置していた背景区域に対応する前記運動しているピクセル（Ｐ）の空間フィルタ処理演算を含んでおり、
前記空間フィルタ処理は、バイラテラル・フィルタを用いることにより具現化される、請求項３に記載の方法。
【請求項７】
前記処理は、前記系列内の前記先行画像において物体が位置していた背景区域に対応する前記運動しているピクセル（Ｐ）の前記空間フィルタ処理の出力において雑音を導入する演算を含んでいる、請求項５又は請求項６に記載の方法。
【請求項８】
前記画像の処理は同時に、前記固定しているピクセル（Ｆ）を処理するように設けられた時間フィルタ処理、前記物体が運動している区域に対応する前記ピクセル（Ｎ）を処理するように設けられた空間フィルタ処理、及び前記系列内の前記先行画像において物体が位置していた背景区域に対応する前記ピクセル（Ｐ）のために設けられた空間フィルタ処理を結合し、該フィルタ処理の結合は、所与のピクセルが固定しているピクセル（Ｆ）である確率、前記物体が運動している区域に対応するピクセル（Ｎ）である確率、及び前記系列内の前記先行画像において物体が位置していた背景区域に対応するピクセル（Ｐ）である確率（ｆ、ｎ、ｐ）の関数として実行される、請求項３に記載の方法。
【請求項９】
請求項１〜請求項９のいずれか１項に記載の方法を用いる手段（１１３）を含んでいる放射線装置（１００）。
【請求項１０】
コンピュータ上で実行されると請求項１〜請求項９のいずれか１項に記載の方法を具現化するプログラム・コード手段を備えたコンピュータ・プログラム。
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
少なくとも複数の装飾図柄が表示される表示手段と、
遊技者の操作に応じて変化する遊技状態を検出する遊技状態検出手段と、
前記遊技状態検出手段によって検出された遊技状態に基づいて所定の抽選結果についての抽選を行う抽選手段と、
前記抽選手段による抽選の結果に基づいて前記装飾図柄の変動表示が行われる複数の演出表示態様のうちのうちのいずれかを選択し、該選択した演出表示態様を前記表示手段にて表示することによって前記演出表示にかかる制御を実行する演出表示制御手段と、
前記抽選手段による抽選にて所定の抽選結果が得られたとき、遊技者に有利な有利遊技状態を発生させる有利遊技状態発生手段と、を備え、
前記装飾図柄は、前記表示手段にて表示される複数の図柄列の別にそれぞれ変動表示されるとともに、それら図柄列の別に変動表示される当該装飾図柄がそれぞれ停止表示されたときに前記表示手段にて現れる図柄組み合わせによって、前記抽選手段による抽選にて所定の抽選結果が得られたか否かが示唆される遊技機であって、
前記複数の演出表示態様には、
前記複数の図柄列のうちの特定の図柄列においてのみ前記装飾図柄が変動表示されている状態にあるときに、一連の内容として認識可能に構成された複数の区間演出のうちの最後の区間演出において、常には、該複数の区間演出のなかで前記有利遊技状態が発生する可能性が最も高い高期待演出が行われるストーリー演出表示態様が含まれており、
前記演出表示制御手段は、
前記ストーリー演出表示態様を前記表示手段に表示するに際して、前記最後の区間演出の前までの当該ストーリー演出表示態様が終了する区間演出にて、前記有利遊技状態が発生する旨を示す当たり演出を、常には表示する非悲観演出制御手段を有する
ことによって、前記最後の区間演出が表示されることなく前記ストーリー演出表示態様が途中で終了したにもかかわらず、遊技者を悲観的にさせることがないようにした
ことを特徴とする遊技機。
【請求項２】
前記演出表示制御手段は、前記装飾図柄の表示中に前記表示手段にてキャラクタを動的に表示させるキャラクタ制御手段、及び前記キャラクタの表示中に前記表示手段にて背景を動的に表示させる背景制御手段を有するものである
請求項１に記載の遊技機。
【請求項３】
前記ストーリー演出表示態様の前記複数の区間演出においてはいずれも特定のキャラクタが表示される
請求項２に記載の遊技機。
【手続補正２】
【補正対象書類名】明細書
【補正対象項目名】０００７
【補正方法】変更
【補正の内容】
【０００７】
請求項１に記載の遊技機は、少なくとも複数の装飾図柄が表示される表示手段（画像表示装置４２）と、遊技者の操作に応じて変化する遊技状態を検出する遊技状態検出手段（始動口スイッチ７０ａ）と、前記遊技状態検出手段によって検出された遊技状態に基づいて所定の抽選結果についての抽選を行う抽選手段と、前記抽選手段による抽選の結果に基づいて前記装飾図柄の変動表示が行われる複数の演出表示態様のうちのうちのいずれかを選択し、該選択した演出表示態様を前記表示手段にて表示することによって前記演出表示にかかる制御を実行する演出表示制御手段と、前記抽選手段による抽選にて所定の抽選結果が得られたとき、遊技者に有利な有利遊技状態を発生させる有利遊技状態発生手段と、を備え、前記装飾図柄は、前記表示手段にて表示される複数の図柄列の別にそれぞれ変動表示されるとともに、それら図柄列の別に変動表示される当該装飾図柄がそれぞれ停止表示されたときに前記表示手段にて現れる図柄組み合わせによって、前記抽選手段による抽選にて所定の抽選結果が得られたか否かが示唆される遊技機であって、前記複数の演出表示態様には、前記複数の図柄列のうちの特定の図柄列においてのみ前記装飾図柄が変動表示されている状態にあるときに、一連の内容として認識可能に構成された複数の区間演出のうちの最後の区間演出において、常には、該複数の区間演出のなかで前記有利遊技状態が発生する可能性が最も高い高期待演出が行われるストーリー演出表示態様（特定演出表示態様としてのお化け屋敷リーチ）が含まれており、前記演出表示制御手段は、前記ストーリー演出表示態様を前記表示手段に表示するに際して、前記最後の区間演出の前までの当該ストーリー演出表示態様が終了する区間演出にて、前記有利遊技状態が発生する旨を示す当たり演出（「お化け屋敷リーチ１段階当り」〜「お化け屋敷リーチ４段階当り」）を、常には表示する非悲観演出制御手段（特定演出表示態様表示開始手段１６４）を有することによって、前記最後の区間演出が表示されることなく前記ストーリー演出表示態様が途中で終了したにもかかわらず、遊技者を悲観的にさせることがないようにしたものである。
請求項２に記載の遊技機は、請求項１に記載の遊技機において、前記演出表示制御手段は、前記装飾図柄の表示中に前記表示手段にてキャラクタを動的に表示させるキャラクタ制御手段、及び前記キャラクタの表示中に前記表示手段にて背景を動的に表示させる背景制御手段を有するものであることを要旨とするものである。
請求項３に記載の遊技機は、請求項２に記載の遊技機において、前記ストーリー演出表示態様の前記複数の区間演出においてはいずれも特定のキャラクタが表示されるものであることを要旨とするものである。